(57)【要約】【課題】  内部流路部材が外観部材の底部方向へずれること防止することができるシャワーヘッドを提供する。【解決手段】  本発明は、閉塞された底部と開放された端部開口部を有する有底筒状の外観部材と、前記端部開口部から挿入されており、内部に通水路を有する内部流路部材と、を備え、前記内部流路部材には、前記外観部材へ挿入する方向に対して垂直方向に、前記通水路によって供給された湯水を吐出させる散水部が設けられていると共に、前記外観部材には、前記散水部が露出する散水開口部が設けられているシャワーヘッドにおいて、前記内部流路部材の後に前記外観部材に挿入されて、前記散水部を前記散水開口部から露出するように支持しているオフセット部材を備え、前記内部流路部材と前記外観部材の前記底部との間に、前記オフセット部材挿入時において前記内部流路部材を前記端部開口部の方向に付勢する弾性力を有する弾性機構を備えたことを特徴とする。【選択図】  図４
2014230555.tif 000002
【特許請求の範囲】
【請求項１】
閉塞された底部及び開放された端部開口部を有する有底筒状の外観部材と、
前記外観部材の前記端部開口部から前記外観部材の内部に挿入されており、内部に通水路を有する内部流路部材と、を備え、
前記内部流路部材には、前記外観部材へ挿入する方向に対して垂直方向に、前記通水路によって供給された湯水を吐出させる散水部が設けられていると共に、
前記外観部材には、前記散水部が露出する散水開口部が設けられているシャワーヘッドにおいて、
前記内部流路部材の後に前記外観部材に挿入されて、前記散水部を前記散水開口部から露出するように支持するオフセット部材を備え、
前記オフセット部材挿入時において前記内部流路部材を前記端部開口部の方向に付勢する弾性力を有する弾性機構を前記内部流路部材と前記外観部材の前記底部との間に備えたことを特徴とするシャワーヘッド。
【請求項２】
前記弾性機構は前記内部流路部材と一体成形されていることを特徴とする請求項１に記載のシャワーヘッド。
【請求項３】
前記弾性機構は、前記内部流路部材の端面から前記外観部材の底部へ向けて突出した突起を、弾性変形可能な梁部によって支持した片持ち梁構造によって構成されていることを特徴とする請求項１又は２に記載のシャワーヘッド。
【請求項４】
前記片持ち梁構造は、前記内部流路部材の挿入方向と直交する、前記散水部の幅方向に複数設けられていることを特徴とする請求項３に記載のシャワーヘッド。
【発明の詳細な説明】
【技術分野】
【０００１】
本発明は、シャワーヘッドに関するものであり、特に、外観部材の内部に内部流路部材が配置された構造のシャワーヘッドに関する。
【背景技術】
【０００２】
特開２０１０−２０７４１６号公報（特許文献１）には、シャワーヘッドが記載されている。このシャワーヘッドは、シャワーヘッドの外観を構成する外観部材の内部に、通水路が内部に設けられている内部流路部材が配置された構成を備えている。このような構成のシャワーヘッドにおいては、湯水を吐出させる複数のノズル孔は、内部流路部材に形成されている。一方、外観部材には、内部流路部材に形成された複数のノズル孔を夫々露出させる複数の散水開口部が形成されており、内部流路部材は、各ノズル孔が外観部材の各散水開口部と整合するように、外観部材の内部に配置される。
【０００３】
外観部材と内部流路部材が別体に構成されたタイプのシャワーヘッドは、内部流路部材の構成を適宜に変更してもシャワーヘッドの外観に影響はない。よって、シャワーヘッドの外観に影響を与えることなく、シャワーヘッドに種々の機能を付加することが可能となり、広く採用されている。
【先行技術文献】
【特許文献】
【０００４】
【特許文献１】特開２０１０−２０７４１６号公報
【発明の概要】
【発明が解決しようとする課題】
【０００５】
このシャワーヘッドにおいて、外観部材は両端が開放されている筒状の部材であって、さらに外観部材には内部流路部材が挿入される端部開口部と逆側に、別部材によりキャップ部が設けられており、ふたをする役目をしているが、シャワーヘッドの意匠性向上のため、キャップ部を設けず外観部材を有底筒状としたシャワーヘッドが知られている。これらのシャワーヘッドにおいて、外観部材の底部と外観部材に挿入された内部流路部材との間には隙間が設けられており、この隙間によって内部流路部材における外観部材の端部開口部方向への公差を吸収できる構造となっていた。
【０００６】
しかし、このシャワーヘッドにおいて外観部材に内部流路部材を挿入した後に、内部流路部材を外観部材に押し付け、散水部を散水開口部から突出させるためのオフセット部材を外観部材に挿入する際、内部流路部材が隙間に向けて移動し、散水部が散水開口部の位置から外観部材の底部方向にずれてしまう可能性があった。このずれが発生した場合には、その度に内部流路部材を外観部材から引き戻す作業が必要になっていた。そのため、シャワーヘッドの組み立て作業に必要以上の手間が掛かってしまうという問題が生じていた。
【０００７】
従って、本発明は、内部流路部材が外観部材の底部方向へずれることを防止することができるシャワーヘッドを提供することを目的としている。
【課題を解決するための手段】
【０００８】
上述した課題を解決するために、本発明は、閉塞された底部及び開放された端部開口部を有する有底筒状の外観部材と、前記外観部材の前記端部開口部から前記外観部材の内部に挿入されており、内部に通水路を有する内部流路部材と、を備え、
前記内部流路部材には、前記外観部材へ挿入する方向に対して垂直方向に、前記通水路によって供給された湯水を吐出させる散水部が設けられていると共に、
前記外観部材には、前記散水部が露出する散水開口部が設けられているシャワーヘッドにおいて、前記内部流路部材の後に前記外観部材に挿入されて、前記散水部を前記散水開口部から露出するように支持するオフセット部材を備え、前記オフセット部材挿入時において前記内部流路部材を前記端部開口部の方向に付勢する弾性力を有する弾性機構を前記内部流路部材と前記外観部材の前記底部との間に備えたことを特徴としている。
【０００９】
このように構成された本発明においては、内部流路部材と外観部材の底部との間に、オフセット部材挿入時において内部流路部材を端部開口部の方向に付勢する弾性力を有する弾性機構を備えているので、弾性機構によって内部流路部材における外観部材の端部開口部方向への公差を吸収でき、また弾性機構の弾性力によってオフセット部材を外観部材に挿入するときに散水部が散水開口部の位置から外観部材の底部方向へずれることを防止できることから、散水部を散水開口部の位置にずれなく合わせることができる。
【００１０】
本発明において、好ましくは、前記弾性機構は前記内部流路部材と一体成形されている。
このように構成された本発明においては、弾性機構と内部流路部材を一体成形しているので、別部品で構成したときよりも組み立て時の手間を軽減できる。        
【００１１】
本発明において、好ましくは、前記弾性機構は、前記内部流路部材の端面から前記外観部材の底部へ向けて突出した突起を、弾性変形可能な梁部によって支持した片持ち梁構造によって構成されている。
このように構成された本発明においては、弾性機構が片持ち梁構造で構成されているので、ばね構造など他の弾性機構に比べ簡単な構造で弾性力を付与する機構を成形することができる。
【００１２】
本発明において、好ましくは、片持ち梁構造は前記内部流路部材の挿入方向と直交する前記散水部の幅方向に複数設けられている。
このように構成された本発明によれば、片持ち梁構造を内部流路部材の挿入方向と直交する散水部の幅方向に複数設けているので、外観部材に対して弾性力が均等に働き、バランス良く内部流路部材を挿入できる。
【発明の効果】
【００１３】
本発明のシャワーヘッドによれば、内部流路部材の外観部材底部方向へのずれを防止することができる。
【図面の簡単な説明】
【００１４】
【図１】本発明の一実施形態によるシャワーヘッドの全断面図である。
【図２】本発明の一実施形態によるシャワーヘッドの分解斜視図である。
【図３】本発明の一実施形態による内部流路部材の分解斜視図である。
【図４】本発明の一実施形態によるガイド部材の正面拡大図である。
【発明を実施するための形態】
【００１５】
次に、添付図面を参照して、本発明の一実施形態を説明する。
図１は、本発明の一実施形態によるシャワーヘッドの全断面図である。図２は、本発明の一実施形態によるシャワーヘッドの分解斜視図である。
【００１６】
図１及び図２に示すように、本実施形態のシャワーヘッド１は、外観部材２と、ホース接続部材４と、このホース接続部材４に連結される散水室構成部材６と、散水室構成部材６の背面側に設けられる散水室蓋８と、散水室構成部材６の中に配置される散水板１０と、散水室構成部材６を外観部材２へ導くガイド部材１２と、オフセット部材１４と、を有する。また、本実施形態において、ホース接続部材４、散水室構成部材６、散水室蓋８、散水板１０、及びガイド部材１２は、内部流路部材３を構成する。
【００１７】
外観部材２は、金属の薄板で構成され、先端部が閉鎖された略円筒状の部材である。外観部材２の基端側（図１の下側）は開放されており、内部流路部材３を挿入するための端部開口部２ａを構成している。また、外観部材２には、散水板１０に設けられた散水ノズル１０ａを外観部材２外部へ突出させるための散水開口部である多数の小穴２ｂが設けられている。
【００１８】
ホース接続部材４は、略円筒状の部材であり、その基端部にはシャワーホース（図示せず）が接続され、湯水が流入する流入部４ａが設けられている。また、ホース接続部材４の先端部は、散水室構成部材６の基端部に挿入されるように構成されており、ホース接続部材４と散水室構成部材６とは介装されたＯリングにより水密的に連結される。
【００１９】
散水室構成部材６は、扁平で細長い散水室を構成するための樹脂製部材であり、基端側にはホース接続部材４を接続するための接続部が設けられ、この接続部と連通するように散水室部６ａが構成されている。散水室部６ａには、内部流路部材３が外観部材２へ挿入する方向に対して垂直方向に、散水板１０に設けられたゴム製の散水ノズル１０ａが設けられている。ここでいう垂直方向とは、散水ノズル１０ａが外観部材２外部へ突出できる範囲であれば、略垂直方向も含むものである。また、散水室部６ａの背面側は開放されており、この散水室部６ａの背面側には散水室蓋８が取り付けられることから、散水室部６ａは水密的に閉鎖されている。
【００２０】
散水板１０は、金属または樹脂をゴムで覆った板状の部材で、多数の散水ノズル１０ａが設けられており、散水室部６ａの内壁面に沿って配置されるように形成されている。各散水ノズル１０ａは略円錐形に構成され、散水板１０の薄板状の部分から外観部材２の外部に突出するように形成されている。図１に示すように、散水板１０は散水室部６ａの中に配置され、シャワーヘッド１が組み立てられた状態においては、各散水ノズル１０ａの先端は、外観部材２の小穴２ｂを通って外部に突出する。このように、散水板１０を樹脂で形成し、散水ノズル１０ａが外部に突出した構成とすることにより、水道水に含まれるカルシウム等が散水ノズル１０ａのノズル孔に固着して、ノズル孔が詰まった場合においても、散水ノズル１０ａを手指で摘んで変形させることにより、容易に固着したカルシウム等を除去することができる。なお、本実施形態においては、各散水ノズル１０ａは、内部流路部材３の散水部を構成する。
【００２１】
オフセット部材１４は、略半円筒状に反っている板状の樹脂製部材である。オフセット部材１４は、シャワーヘッド１の組み立て時において、内部流路部材３の背面側と外観部材２の内壁面の間の隙間にガタなく挿入されように構成されている。これにより、外観部材２に設けられている小穴２ｂから内部流路部材３に設けられている散水ノズル１０ａがそれぞれ突出し、外観部材２内における内部流路部材３の位置が固定される。
【００２２】
次に、図２〜図４により本発明の一実施形態であるシャワーヘッド１のガイド部材１２について説明する。図３は、本発明の一実施形態による内部流路部材の分解斜視図である。図４は、本発明の一実施形態によるガイド部材の正面拡大図である。
【００２３】
図２及び図３に示すように、ガイド部材１２は、外観部材２の内壁面に沿うように配置されるフレーム状の樹脂製部材である。ガイド部材１２は、シャワーヘッド１の長手方向に、平行に延びる２本のレール１２ａと、これらのレール１２ａの先端部に夫々形成された突起受入凹部１２ｂと、を有する。各レール１２ａは、通水路構成部材６がガイド部材１２に取り付けられる際に、内部流路部材３の両側面に夫々設けられた摺動突起１６ａを摺動させるように構成されている。また、突起受入凹部１２ｂは、通水路構成部材６が所定の組付位置まで挿入されたとき、各摺動突起１６ａを受け入れるように位置決めされている。さらに、ガイド部材１２には散水ノズル受入部１２ｅが設けられており、散水ノズル受入部１２ｅに散水ノズル１０ａを挿入することによって、ガイド部材１２に対して散水室構成部材６の位置がずれることを防止する。本実施形態において、散水ノズル受入部１２ｅはガイド部材１２に２つ設けられているが、それに限らずいくつ設けられても良い。
【００２４】
また、ガイド部材１２の先端には、図４に示すように、内部流路部材の挿入方向と直交する、散水部の幅方向に弾性部５（弾性機構）が設けてある。この弾性部５は、梁部５ａ、突起部５ｂから構成されており、梁部５ａはガイド部材１２の中央側から幅方向へ延出するように成形された片持ち梁構造である。この突起部５ｂに矢印Ａの方向へ力が加わると、梁部５ａがしなり、矢印Ｂの方向へ弾性力が生じる。弾性部５はガイド部材１２に２個設けられている。なお、本実施形態において、弾性部５は片持ち梁構造でガイド部材１２と一体成形した梁部５ａ及び突起部５ｂで構成されているが、それに限らず、ばね構造や弾性力を持ったゴム構造で構成されても良い。さらに、本実施形態のように、弾性部５がガイド部材１２と一体に成形されている場合に限らず、それぞれ異なる部材で構成されても良い。また、本実施形態において、弾性部５はガイド部材１２に２つ設けられているが、それに限らずいくつ設けられても良い。
【００２５】
次に、本発明の実施形態によるシャワーヘッド１の組み立て手順を説明する。
まず、散水室構成部材６の背面側に散水室蓋８を取り付け、散水室部６の背面側の開口部を水密的に閉鎖する。次いで、散水室構成部材６の基端部にホース接続部材４の先端部を挿入し、散水室構成部材６とホース接続部材４を一体化する。
【００２６】
次に、図３に示すように、散水室構成部材６の両側面の摺動突起１６ａが、２本のレール１２ａ上を夫々摺動されて、散水室構成部材６を所定の位置まで挿入され、ホース接続部材４に設けられた抜け止め突起４ｂが、ガイド部材１２に設けられた抜け止めスリット１２ｃに受け入れられ、散水室構成部材６及びホース接続部材４が位置決めされる。このようにして内部流路部材３が構成される。
【００２７】
次いで、図２に示すように、内部流路部材３を、端部開口部２ａを介して外観部材２に挿入する。内部流路部材３が所定の位置まで挿入されると、ホース接続部材４に設けられた抜け止め突起４ｂが、外観部材２に設けられた抜け止めスリット２ｃに受け入れられ、内部流路部材３が位置決めされる。これにより、内部流路部材３の散水ノズル１０ａは、外観部材２の多数の小穴２ｂが設けられた領域の両側に位置するように配置される。
【００２８】
続いて、各散水ノズル１０ａの先端を外観部材２の小穴２ｂよりも外方に突出させるために、内部流路部材３の背面側（散水ノズル１０ａの反対側）と外観部材２の内壁面との間に、オフセット部材１４が挿入される。これにより、内部流路部材３の背面側への移動が規制され、内部流路部材３は各散水ノズル１０ａが外観部材２の小穴２ｂよりも外方に突出した状態に位置決めされる。
【００２９】
オフセット部材１４を外観部材２に挿入する際に、オフセット部材１４と内部流路部材３との摩擦によって、内部流路部材３は端部開口部２ａから底部２ｅへ向かう方向へ摩擦力を受けるが、そのときガイド部材１２に設けられた弾性部５が底部２ｅに押し付けられることにより、底部２ｅから端部開口部２ａへ向かう方向へ弾性力を発揮する。この摩擦力と弾性力が拮抗することにより、オフセット部材１４挿入時において、散水ノズル１０ａが外観部材２の小穴２ｂの中心からずれることを防止する。
【００３０】
また、弾性部５の片持ち梁構造によって、内部流路部材３と外観部材２との間の公差を吸収できる。つまり、内部流路部材３と外観部材２との間の実寸法が理想値より小さかった場合でも、片持ち梁構造で構成されている弾性部材５が外観部材２の底部２ｅに押し付けられることで歪曲され、その結果、内部流路部材３と外観部材２との間の公差を吸収できる。
【００３１】
シャワーヘッド１の実使用時においては、ホース接続部材４の流入部４ａにシャワーホース（図示せず）が接続される。シャワーホース（図示せず）から供給された湯水は流入部４ａから流入され、散水室構成部材６の散水室部６ａを介して、散水板１０の各散水ノズル１０ａから吐出される。
【００３２】
本発明の一実施形態のシャワーヘッド１によれば、内部流路部材３と外観部材２の底部２ｅとの間に、オフセット部材１４挿入時において内部流路部材３を端部開口部２ａの方向に付勢する弾性力を有する弾性部５を備えているので、弾性機構によって内部流路部材３における外観部材２の端部開口部方向への公差を吸収できる。また、弾性部５の弾性力によってオフセット部材１４を外観部材２に挿入するときに散水部１０ａが散水開口２ｂ部の位置から外観部材２の底部方向へずれることを防止できることから、散水部１０ａを散水開口部２ｂの位置にずれなく合わせることができる。
【００３３】
また、本実施形態のシャワーヘッド１において、弾性部５と、ガイド部材１２、即ち内部流路部材３とを一体成形しているので、弾性部５と内部流路部材３とを別部品で構成したときよりも組み立て時の手間を軽減できる。
【００３４】
さらに、本実施形態のシャワーヘッド１によれば、弾性部５が片持ち梁構造で構成されているので、ばね構造など他の弾性機構に比べ簡単な構造で弾性力を付与する機構を構成することができる。
【００３５】
また、本実施形態のシャワーヘッド１によれば、片持ち梁構造を内部流路部材の挿入方向と直交する散水部の幅方向に複数設けているので、外観部材２に対して弾性力が均等に働き、バランス良く内部流路部材３を挿入できる。また、ここでいう直交とは、外観部材２に対して弾性力が均等に働き、バランス良く内部流路部材３を挿入できるという効果を奏する範囲であれば、略直交も含むものである。
【００３６】
以上、本発明の一実施形態を説明したが、上述した実施形態に種々の変更を加えることができる。上述した実施形態においては、散水室構成部材６に摺動突起１６ａが形成され、ガイド部材１２に、これを受け入れる突起受入凹部１２ｂが形成されていたが、ガイド部材１２側に摺動突起を設け、散水室構成部材６側に突起受入凹部を設けることもできる。
【符号の説明】
【００３７】
１    シャワーヘッド          
２    外観部材          
３    内部流路部材
２ａ  端部開口部          
２ｂ  小穴（散水開口部）        
２ｃ  抜け止めスリット          
２ｅ  底部              
４    ホース接続部材            
４ａ  流入部
４ｂ  抜け止め突起      
５    弾性部（弾性機構）          
５a   梁部            
５b   突起部              
６    散水室構成部材          
６ａ  散水室部            
８    散水室蓋            
１０    散水板          
１０ａ  散水ノズル（散水部）        
１２    ガイド部材            
１２ａ  レール            
１２ｂ  突起受入凹部          
１２ｃ  抜け止めスリット              
１２ｅ  散水ノズル受入部
１４    オフセット部材          
１６ａ  摺動突起            
【図１】
2014230555.tif 000003
【図２】
2014230555.tif 000004
【図３】
2014230555.tif 000005
【図４】
2014230555.tif 000006